(57)【特許請求の範囲】
【請求項１】
ＲＦ電力制御器であって、
該ＲＦ電力制御器は、
ＲＦ電力増幅器に結合され、イネーブルモード中に該ＲＦ電力増幅器に制御信号を提供する電力制御増幅器であって、該ＲＦ電力増幅器は、該制御信号に応答して電力出力信号を提供する、電力制御増幅器と、
該電力出力信号を示すフィードバック信号を提供するフィードバック回路であって、該フィードバック回路は、該ＲＦ電力増幅器および該電力制御増幅器の入力に結合され、該制御信号は、該フィードバック信号と電力制御入力信号との間の差に基づいてセットされる、フィードバック回路と、
該電力制御増幅器、該フィードバック回路および該ＲＦ電力増幅器に結合されるオートゼロループ回路であって、該オートゼロループ回路は、スタンバイモード中に該電力制御増幅器に関連したオフセット電圧を計測および記憶する間、キャンセレーションループを閉じるように動作し、イネーブルモード中に該計測したオフセット電圧をキャンセルするオフセット制御信号を該電力制御増幅器に提供する、オートゼロループ回路と
を含み、
該オートゼロループ回路は、非ゼロの正の基準電圧を発生する電圧源と、オートゼロ増幅器とを含み、該オートゼロ増幅器は、該スタンバイモード中に該電力制御増幅器の出力に結合される第１の入力および該基準電圧に結合される第２の入力と、該スタンバイモードおよび該イネーブルモード中に該電力制御増幅器の入力に結合される出力とを有し、該オートゼロ増幅器は、該スタンバイモード中に該第１の入力の電圧が該基準電圧と等しくなるように、該第１の入力の電圧が該基準電圧よりも大きい場合に該第１の入力の電圧を低減するように該オフセット制御信号を制御し、それ以外の場合に該第１の入力の電圧を増加するように該オフセット制御信号を制御する、制御器。
【請求項２】
前記オートゼロループ回路は、第１のスイッチおよび第１のコンデンサをさらに含み、該第１のスイッチおよび該第１のコンデンサは、前記オートゼロ増幅器の前記第１の入力に結合され、該第１のスイッチはイネーブルモード中に前記キャンセレーションループを開くために開かれ、該イネーブルモード中に該オートゼロ増幅器の入力の電圧が該第１のコンデンサに記憶される、請求項１に記載の制御器。
【請求項３】
前記オートゼロループ回路は、第２のスイッチおよび第２のコンデンサをさらに含み、該第２のスイッチおよび該第２のコンデンサは、前記オートゼロ増幅器の前記第２の入力に結合され、該第２のスイッチは前記イネーブルモード中に開かれることにより、該イネーブルモード中に該オートゼロ増幅器の該第２の入力の基準電圧が該第２のコンデンサに記憶される、請求項１に記載の制御器。
【請求項４】
前記フィードバック回路は、電圧フィードバック信号を提供する、請求項１に記載の制御器。
【請求項５】
前記フィードバック回路は、低周波数電圧フィードバック信号を提供するためのＲＦピーク検出回路を含む、請求項４に記載の制御器。
【請求項６】
前記フィードバック回路は、前記電力制御増幅器の入力に提供される前記低周波数電圧フィードバック信号をレベルシフトするＲＦ検出増幅器をさらに含み、前記ＲＦピーク検出回路は、ピーク検出のための第１のダイオードと、ＤＣバイアスのための第２のダイオードとを含み、該第１のダイオードおよび該第２のダイオードは、該ＲＦ検出増幅器のそれぞれの入力に結合される、請求項５に記載の制御器。
【請求項７】
前記フィードバック回路は、前記ＲＦ電力増幅器に供給される電流に対応した電圧を提供する、請求項１に記載の制御器。
【請求項８】
前記フィードバック回路は、前記ＲＦ電力増幅器に供給される電流を検知するための電流検知増幅器を含み、該電流検知増幅器は、前記電力出力信号を示すフィードバック信号を前記電力制御増幅器の入力に提供する、請求項７に記載の制御器。
【請求項９】
前記電力制御増幅器は、第２のＲＦ電力増幅器に結合され、前記制御器は、該第２のＲＦ電力増幅器の第２の電力出力信号を調節するように適合される、請求項１に記載の制御器。
【請求項１０】
前記電力制御増幅器の第２の入力と前記電力制御入力信号との間に結合される基準電圧源をさらに含む、請求項１に記載の制御器。
【請求項１１】
前記ＲＦ電力増幅器に結合される出力ノードと、該出力ノードと前記電力制御増幅器との間に結合されるスイッチとをさらに含み、該スイッチは、前記スタンバイモード中に開かれ、前記イネーブルモード中に閉じられ、それにより、該イネーブルモード中に該電力制御増幅器が該ＲＦ電力増幅器に前記制御信号を供給し得る、請求項１に記載の制御器。
【請求項１２】
前記オートゼロループ回路は、前記スタンバイモード中に前記ＲＦ電力増幅器を排除するために前記キャンセレーションループを閉じ、前記イネーブルモード中に該ＲＦ電力増幅器を含めるために該キャンセレーションループを開くように動作する、請求項１に記載の制御器。
【請求項１３】
ＲＦ電力制御器であって、
該ＲＦ電力制御器は、
ＲＦ電力増幅器に制御信号を提供する手段であって、該制御信号を提供する手段は、該ＲＦ電力増幅器に結合され、イネーブルモード中にだけ該ＲＦ電力増幅器に該制御信号を提供し、該ＲＦ電力増幅器は、該制御信号に応答して電力出力信号を提供する、手段と、
該電力出力信号を示すフィードバック信号を発生する手段であって、該発生する手段は、該ＲＦ電力増幅器に結合され、かつ、該制御信号を提供する手段の入力に結合され、該制御信号は該フィードバック信号と電力制御入力信号との間の差に基づいてセットされる、手段と、
スタンバイモード中に該制御信号を提供する手段に関連したオフセット電圧を計測および記憶するためにキャンセレーションループを閉じる手段と、
該イネーブルモード中に該計測したオフセット電圧をキャンセルするオフセット制御信号を該制御信号を提供する手段に提供する手段であって、該閉じる手段は、該制御信号を提供する手段、該発生する手段、および該ＲＦ電力増幅器に結合される、手段と
を含み、
該閉じる手段は、非ゼロの正の基準電圧を発生する電圧源と、オートゼロ増幅器とを含み、該オートゼロ増幅器は、該スタンバイモード中に該制御信号を提供する手段の出力に結合される第１の入力および該基準電圧に結合される第２の入力と、該スタンバイモードおよび該イネーブルモード中に該制御信号を提供する手段の入力に結合される出力とを有し、該オートゼロ増幅器は、該スタンバイモード中に該第１の入力の電圧が該基準電圧と等しくなるように、該第１の入力の電圧が該基準電圧よりも大きい場合に該第１の入力の電圧を低減するように該オフセット制御信号を制御し、それ以外の場合に該第１の入力の電圧を増加するように該オフセット制御信号を制御する、制御器。
【請求項１４】
前記閉じる手段は、第１のスイッチおよび第１のコンデンサをさらに含み、該第１のスイッチおよび該第１のコンデンサは、前記オートゼロ増幅器の前記第１の入力に結合され、該第１のスイッチは前記イネーブルモード中に前記キャンセレーションループを開くために開かれ、該オートゼロ増幅器の入力の電圧は、該イネーブルモード中に該第１のコンデンサに記憶される、請求項１３に記載の制御器。
【請求項１５】
前記閉じる手段は、第２のスイッチおよび第２のコンデンサをさらに含み、該第２のスイッチおよび該第２のコンデンサは前記オートゼロ増幅器の前記第２の入力に結合され、該第２のスイッチは前記イネーブルモード中に開かれることにより、該イネーブルモード中に該オートゼロ増幅器の該第２の入力の基準電圧が該第２のコンデンサに記憶される、請求項１３に記載の制御器。
【請求項１６】
前記フィードバック信号は、電圧フィードバック信号である、請求項１３に記載の制御器。
【請求項１７】
前記発生する手段は、低周波数電圧フィードバック信号を提供するためのＲＦピーク検出回路を含む、請求項１６に記載の制御器。
【請求項１８】
前記発生する手段は、前記電力制御増幅器の入力に提供される前記低周波数電圧フィードバック信号をレベルシフトするＲＦ検出増幅器をさらに含み、前記ＲＦピーク検出回路は、ピーク検出のための第１のダイオードと、ＤＣバイアスのための第２のダイオードとを含み、該第１のダイオードおよび該第２のダイオードは、該ＲＦ検出増幅器のそれぞれの入力に結合される、請求項１７に記載の制御器。
【請求項１９】
前記発生する手段は、前記ＲＦ電力増幅器に供給される電流に対応した電圧を提供する、請求項１３に記載の制御器。
【請求項２０】
前記発生する手段は、前記ＲＦ電力増幅器に供給される電流を検知するための電流検知増幅器を含み、該電流検知増幅器は、前記電力出力信号を示すフィードバック信号を、前記制御信号を提供する手段の入力に提供する、請求項１９に記載の制御器。
【請求項２１】
前記制御信号を提供する手段は、第２のＲＦ電力増幅器に結合され、前記制御器は、該第２のＲＦ電力増幅器の第２の電力出力信号を調節するように適合される、請求項１３に記載の制御器。
【請求項２２】
前記制御信号を提供する手段の第２の入力と前記電力制御入力信号との間に結合される基準電圧源をさらに含む、請求項１３に記載の制御器。
【請求項２３】
前記ＲＦ電力増幅器に結合される出力ノードと、該出力ノードと前記制御信号を提供する手段との間に結合されるスイッチとをさらに含み、該スイッチは、前記スタンバイモード中に開かれ、前記イネーブルモード中に閉じられ、それにより、該制御信号を提供する手段が該イネーブルモード中に該ＲＦ電力増幅器に該制御信号を供給し得る、請求項１３に記載の制御器。
【請求項２４】
前記閉じる手段は、前記スタンバイモード中に前記ＲＦ電力増幅器を排除するために前記キャンセレーションループを閉じ、前記イネーブルモード中に該ＲＦ電力増幅器を含めるために該キャンセレーションループを開くように動作する、請求項１３に記載の制御器。
【請求項２５】
ＲＦ電力制御器を使用してＲＦ電力増幅器の電力出力信号を調節する方法であって、該方法は、
イネーブルモード中にだけ該ＲＦ電力増幅器に制御信号を提供し、電力制御増幅器を使用して該ＲＦ電力増幅器の該電力出力信号を調節するステップであって、該ＲＦ電力増幅器は該制御信号に応答して該電力出力信号を提供する、ステップと、
該電力出力信号を示すフィードバック信号を発生するステップであって、該フィードバック信号は該電力制御増幅器の入力に提供され、該制御信号は、該フィードバック信号と電力制御入力信号との間の差に基づいて該電力制御増幅器によりセットされる、ステップと、
スタンバイモード中に該電力制御増幅器に関連したオフセット電圧を計測および記憶するために該電力制御増幅器に結合されたキャンセレーションループを閉じるステップと、
イネーブルモード中に該計測されたオフセット電圧をキャンセルするオフセット制御信号を、該キャンセレーションループを使用して該電力制御増幅器に提供するステップと
を含み、
該キャンセレーションループは、非ゼロの正の基準電圧を発生する電圧源と、オートゼロ増幅器とを含み、該オートゼロ増幅器は、該スタンバイモード中に該電力制御増幅器の出力に結合される第１の入力および該基準電圧に結合される第２の入力と、該スタンバイモードおよび該イネーブルモード中に該電力制御増幅器の入力に結合される出力とを有し、該オートゼロ増幅器は、該スタンバイモード中に該第１の入力の電圧が該基準電圧と等しくなるように、該第１の入力の電圧が該基準電圧よりも大きい場合に該オートゼロ増幅器の該第１の入力の電圧を低減するように該オフセット制御信号を提供し、それ以外の場合に該オートゼロ増幅器の該第１の入力の電圧を増加するように該オフセット制御信号を提供する、方法。
【請求項２６】
前記キャンセレーションループを閉じるステップは、第１のスイッチおよび第１のコンデンサを使用して前記電圧オフセットを記憶することをさらに含み、該第１のスイッチおよび該第１のコンデンサは前記オートゼロ増幅器の前記第１の入力に結合され、該第１のスイッチは前記イネーブルモード中に該キャンセレーションループを開くために開かれ、該イネーブルモード中に該第１のコンデンサに該オートゼロ増幅器の入力の電圧が記憶される、請求項２５に記載の方法。
【請求項２７】
前記キャンセレーションループを閉じるステップは、第２のスイッチおよび第２のコンデンサを使用して電圧オフセットを記憶することをさらに含み、該第２のスイッチおよび該第２のコンデンサは、前記オートゼロ増幅器の前記第２の入力に結合され、該第２のスイッチは前記イネーブルモード中に開かれることにより、該イネーブルモード中に該オートゼロ増幅器の該第２の入力の基準電圧が該第２のコンデンサに記憶される、請求項２５に記載の方法。
【請求項２８】
前記フィードバック信号を発生するステップは、電圧フィードバック信号を発生することをさらに含む、請求項２５に記載の方法。
【請求項２９】
前記フィードバック信号を発生するステップは、ＲＦピーク検出回路を使用して、低周波数電圧フィードバック信号を発生することをさらに含む、請求項２８に記載の方法。
【請求項３０】
前記フィードバック信号を発生するステップは、ＲＦ検出増幅器を使用して、前記電力制御増幅器の入力に提供される前記低周波数電圧フィードバック電圧をレベルシフトすることをさらに含み、前記ＲＦピーク検出回路は、ピーク検出のための第１のダイオードと、ＤＣバイアスのための第２のダイオードとを含み、該第１のダイオードおよび該第２のダイオードは、該ＲＦ検出増幅器のそれぞれの入力に結合される、請求項２９に記載の方法。
【請求項３１】
前記フィードバック信号を発生するステップは、前記ＲＦ電力増幅器に供給される電流に対応する電圧を発生することをさらに含む、請求項２５に記載の方法。
【請求項３２】
前記電流に対応する電圧を発生するステップは、電流検知増幅器を使用して、前記ＲＦ電力増幅器に供給される電流に対応する電圧を前記電力制御増幅器の入力に供給することにより実施される、請求項３１に記載の方法。
【請求項３３】
前記制御信号を提供するステップは、第２のＲＦ電力増幅器に、第２の制御信号を提供して、該第２のＲＦ電力増幅器の第２の電力出力信号を調節することをさらに含む、請求項２５に記載の方法。
【請求項３４】
前記キャンセレーションループを閉じることは、前記電力制御増幅器の第２の入力と前記電力制御入力信号との間に結合される基準電圧源を使用して、電圧オフセットを計測することをさらに含む、請求項２５に記載の方法。
【請求項３５】
前記制御信号を提供するステップは、前記ＲＦ電力増幅器に結合された出力ノードおよび該出力ノードと前記電力制御増幅器との間に結合されたスイッチから該ＲＦ電力増幅器に前記制御信号を提供することをさらに含み、該スイッチは、前記スタンバイモード中に開かれ、前記イネーブルモード中に閉じられ、それにより、該イネーブルモード中に該電力制御増幅器が該ＲＦ電力増幅器に該制御信号を供給し得る、請求項２５に記載の方法。
【請求項３６】
前記キャンセレーションループを閉じることは、
前記スタンバイモード中に前記ＲＦ電力増幅器を排除することをさらに含む、請求項３１に記載の方法。
【発明の詳細な説明】
【０００１】
【発明の属する技術分野】
本発明は無線周波数（ＲＦ）電力制御器に関する。より詳細に、本発明はオフセット電圧キャンセレーションを備えるＲＦ電力制御器に関する。
【０００２】
【従来の技術】
ＲＦ電力増幅器は、例えば、ＲＦ増幅器から負荷ドローイング電力として動作するアンテナに電力を出力し得る。ＲＦ電力制御器は、ＲＦ電力増幅器の出力電力を制御する回路である。電力が必要な場合、電力制御入力信号は、ＲＦ電力制御器にＲＦ電力増幅器がアンテナに送信すべき電力量を示し、これはイネーブルモードとして言及され得る。従って、イネーブルモードは、その間にアンテナが電力をＲＦ電力増幅器から引き出す時間である。ＲＦ電力制御器は、出力電圧信号を電力制御入力信号に応答してＲＦ電力増幅器に提供する。出力電圧は、ＲＦ電力増幅器が出力するのに必要な電力レベルをＲＦ電力増幅器に示す。ＲＦ電力制御器の出力電圧と出力電圧に応答するＲＦ電力増幅器の電力出力との関係は、ＲＦ電力増幅器に対する増幅特性曲線を形成する。
【０００３】
ＲＦ電力制御器は、フィードバック信号を利用した電力制御入力信号に示されたレベルにＲＦ電力増幅器の電力出力信号を制御する。ＲＦ電力増幅器からのフィードバック信号は、ＲＦ電力制御器に対してＲＦ電力増幅器が所与位置に遅延することなく出力する電力量を示す。ＲＦ電力増幅器の出力電力の所要量は、基地局の距離変化に伴って変動し得る。電力制御入力信号によって、ＲＦ電力増幅器が、所要電力レベルを出力しているかを決定するためにＲＦ電力制御器はフィードバック信号を利用する。フィードバック信号に応答して、ＲＦ電力制御器は、ＲＦ電力増幅器の出力電圧信号を変動させる。ＲＦ電力増幅器およびＲＦ電力制御器の周囲でフィードバック信号は、電力制御ループと呼ばれるループを閉じる。
【０００４】
ＲＦ電力増幅器が出力電力をこれ以上要求しない場合もまた、電力制御入力信号が示す。ＲＦ電力制御器は、出力電圧をゼロまで減少させることによって応答し、その出力電圧によって、ＲＦ電力制御器が電力出力の中断を指示する。各イネーブルモードに続くスタンバイモードの間、ＲＦ電力増幅器は本質的に不動作である。ＲＦ電力増幅器のデューティサイクルは、ＲＦ増幅器がイネーブルモードおよびスタンバイモード内にある時間を包含する。
【０００５】
ＲＦ電力制御器は、セルラー電話および無線データモデムのようなＲＦ電力増幅器を利用した様々な用途において利用され得る。これら用途において重要なことは、可能な限り正確にＲＦ電力制御器がＲＦ電力増幅器の出力信号を制御することである。電力制御入力信号およびＲＦ電力制御器自体の内部に存在する回路に関するオフセット電圧は、ＲＦ電力制御器の出力電圧信号の正確性に悪影響を与える。
【０００６】
ＲＦ電力制御器の出力信号に悪影響を与えるオフセット電圧の問題は、多くの用途に利用されるＲＦ電力増幅器の所要電力の減少に伴って、ますます重要になりつつあり、それにより、前記オフセットの影響が増加している。あるセルラー電話に応用する場合、出力電力所要量は非常に少ない（例えば５ｄＢｍ）。実施例では、所要出力電力量が少ない場合、ＲＦ電力制御器の出力時に不正確となるオフセット電圧は、ＲＦ電力制御器出力時のエラーが出力電圧の高い割合に影響を与えるためより重要となる。ＲＦ電力制御器の出力時のエラーによって、しばしばＲＦ電力増幅器の電力出力信号が不正確となる。オフセット電圧はしばしば電力制御ループから取り除くことが困難である。なぜなら、オフセット電圧は、出力電力レベル、電力供給入力、および動作温度の変化に応じて変化し得るためである。
【０００７】
負のオフセット電圧により、ＲＦ電力制御器の出力電圧の望ましくない工程を引き起こし得る。例えば、イネーブルサイクルの開始時に、電力制御ループ内の負のオフセット電圧は、電力制御増幅器の起動時において遅延を引き起こす。この遅延は電力制御増幅器のトランジスタをオンにする際に関連し得る。遅延が終われば、電力制御増幅器の出力電圧は、電力制御入力信号を得るために、電力制御増幅器が電圧を出力開始するように速やかに上昇する。正のオフセットも電力制御増幅器の出力電圧中のスプリアス工程を発生させ得る。さらに、イネーブルサイクルの開始時に電圧が電力制御入力に印可される前に、正のオフセットによって、電力制御増幅器の出力電圧を上昇させ得る。
【０００８】
出力電圧の上昇に伴う急速な電圧上昇も、ＲＦ電力増幅器の出力電力がスプリアス側波帯周波数を発生させ、スプリアス側波帯周波数自体が隣接チャネルを干渉する。例えば、スプリアス側波帯周波数は、他のセルラー電話に使用される隣接チャネル中のノイズとなる。オフセット電圧もＲＦ電力制御器が定常状態でその出力電圧を漸次上昇することを妨害し、そのためスプリアス側波帯周波数を発生させる。これらの理由により、ＲＦ電力制御器に伴うオフセット電圧の削除は利点を有する。
【０００９】
先行技術で使用される回路では、ＲＦ電力制御器の電力制御ループに入り込み得るオフセット電圧をキャンセルする様々な方法が使用されている。ＲＦ電力制御器は、電力制御入力信号を増幅し、制御器の出力電圧を発生させる電力制御増幅器を包含し得る。ＲＦ電力制御器に伴うオフセット電圧は、トリム電位差計と電力制御増幅器への入力とを接続することによって減少され、オフセット電圧をキャンセルし得る。しかし、電位差計を使用した手動トリミングは高価で、追加のプリント基板を要する。また、温度変化および供給電圧変化も考慮され得ない。
【００１０】
オフセットをキャンセルする別の先行技術では、電力制御ループ中の他の回路に伴う正のオフセットをキャンセルするため、電力制御増幅器に負のオフセットを加えることを包含する。しかし、完全なキャンセルのため負のオフセットを正のオフセットと整合させることは困難である。オフセット電圧が動作温度および電力供給入力で変化した場合、特に問題となり得る。過度の負のオフセットが制御増幅器に対して加えられた場合、正味の負のオフセットは、イネーブルモード開始時に出力電圧での工程を発生し得る。
【００１１】
オフセットキャンセルの別の公知技術は、異なったＲＦ電力レベル、入力供給電圧、および温度を考慮したルックアップテーブルを包含する。特定のＲＦ電力制御器に伴うオフセット電圧は、例えばＲＦ出力電力レベル、入力供給電圧、および動作温度に依存して変動し得る。ＲＦ電力制御器回路基板の個別の各基板での異なるＲＦ電力レベルおよび温度におけるＲＦ電力制御器に伴うオフセット電圧を決定するためにテストされ得る。これらオフセット電圧は、ルックアップテーブルに保存される。ＲＦ電力制御器の動作中に、特定動作温度でのオフセット電圧値、入力供給電圧、およびＲＦ電力レベルは、オフセット電圧をキャンセルするために電力制御増幅器の入力時に必要とされる電圧を決定するためルックアップテーブルから追加回路によってアクセスされ得る。
【００１２】
しかし、これらの環境下で、個別の各プリント基板についてルックアップテーブルは温度、入力供給電圧、出力電圧レベル、および初期オフセット電圧を十分に考慮して作成されなければならない。これらテーブルは、完全なアルゴリズムを必要とし得る。加えて、ルックアップテーブル技術は、ＲＦ電力制御器に伴うオフセット電圧をキャンセルする場合に、不正確となる。なぜなら、オフセット電圧の温度係数は、予測不能なためである。特定温度に関するオフセット電圧は常に変化し、ルックアップテーブルによって正確に予測することができない。従って、ルックアップテーブルを利用してオフセット電圧をキャンセルする先行技術回路もしばしば、トリム電位差計を用いてルックアップテーブルによって予測し得ない追加オフセットをキャンセルする。
【００１３】
前述の観点で、望ましくは出力電力の所要量、供給電圧、および動作温度範囲に正確に変動するＲＦ電力制御器に伴うオフセット電圧をキャンセルする技術を提供し得ることである。
【００１４】
より望ましくは、最小量の追加回路を用いたＲＦ電力制御器に伴うオフセット電圧をキャンセルする技術を提供することである。
【００１５】
さらに望ましくは、個別の各ＲＦ電力制御器に手動で調整または修正することを要しない各デューティサイクル中のＲＦ電力制御器に伴う自動キャンセルオフセット電圧の技術を提供することである。
【００１６】
【発明が解決しようとする課題】
従って、本発明の目的は、出力電力所要量、供給電圧、および動作温度範囲に正確に変動する、ＲＦ電力制御器に伴うオフセット電圧をキャンセルするＲＦ電力制御器を提供することである。
【００１７】
さらに、本発明の目的は、最小量の追加回路を利用したＲＦ電力制御器に伴うオフセット電圧をキャンセルする技術を提供することである。
【００１８】
本発明のさらなる目的は、個別の各ＲＦ電力制御器に手動で調整および修正を要しないＲＦ電力制御器に伴うオフセット電圧を自動的にキャンセルする回路を備えるＲＦ電力制御器を提供することである。
【００１９】
【課題を解決するための手段】
本発明の上記および他の目的に従って、電力制御ループ内のオフセット電圧をキャンセルすることによる適切な電力出力を供給するＲＦ電力制御器が開示される。
【００２０】
低電力レベルでのＲＦ電力増幅器の正確な電力制御は、電力制御ループ内のオフセット電圧および電力制御入力信号からの外部オフセット電圧のため困難な場合がある。これらのオフセット電圧は、しばしば電力制御入力信号を提供するのに利用されるダイオードピーク検出器、電力制御増幅器、およびデジタル−アナログ変換器（ＤＡＣ）などのＲＦ電力制御器に伴う回路要素によって発生し得る。オフセット電圧は動作温度、入力供給電圧、および出力電力レベルの変化に応じて変化し得、オフセット電圧のエラーを初期化し得る。
【００２１】
本発明のＲＦ電力制御器は、オフセット電圧キャンセルシステム（「オートゼロシステム」としても言及される）を提供する。そのシステムは、ＲＦ電力制御器の出力電圧に関するオフセット電圧の影響を除去し、より広範囲およびより正確な電力制御範囲を考慮する。またオフセット電圧の除去により、ＲＦ電力制御器の出力電圧内の潜在的なスプリアス工程を除去する。オフセットキャンセルは、電力伝送を中断させないようにスタンバイモードの間に起こる。
【００２２】
本発明のオフセット電圧キャンセレーションシステムを備えるＲＦ電力制御器は、スタンバイモード間に、ＲＦ電力制御器の出力をオートゼロ増幅器に結合することによって電力制御ループのオフセット電圧および外部オフセット電圧をキャンセルする。オートゼロ増幅器はオフセット電圧を計測し、各スタンバイモード間にオフセット電圧を除去する。オフセット電圧がキャンセルされるオートゼロ増幅器の入力時の電圧は、イネーブルモード間に記憶される。記憶電圧は、イネーブルモード間の記憶状態を維持するためのオートゼロ増幅器で、ＲＦ電力制御器出力電圧についてのオフセット電圧の影響を除去するために利用される。温度、電圧供給変化等によるオフセットドリフトは、頻繁なオフセットサンプリングによりキャンセルされる。
【００２３】
本発明のＲＦ電力制御器は、ＲＦ電力増幅器に結合され、イネーブルモード中該ＲＦ電力増幅器に制御信号を提供する電力制御増幅器であって、ＲＦ電力増幅器は、該制御信号に応答して電力出力信号を提供する、電力制御増幅器と、電力出力信号を示すフィードバック信号を提供するフィードバック回路であって、該フィードバック回路は、ＲＦ電力増幅器および電力制御増幅器の入力に結合され、該制御信号はフィードバック信号と電力制御入力信号との間の差に基づいてセットされる、フィードバック回路と、電力制御増幅器、フィードバック回路およびＲＦ電力増幅器に結合されたオートゼロループ回路であって、該オートゼロ制御回路はスタンバイモード中にオフセット電圧を計測し、かつ、記憶する間、キャンセレーションループを閉じるように動作し、イネーブルモード中に計測したオフセット電圧をキャンセルする信号を提供する、オートゼロループ回路と、を含む。
【００２４】
前記オートゼロループ回路は、スタンバイモード中電力制御増幅器の入力および出力に結合し、イネーブルモード中電力制御増幅器の入力に結合するオートゼロ増幅器であって、該オートゼロ増幅器は、スタンバイモード中オフセット電圧を計測し、イネーブルモード中計測したオフセット電圧をキャンセルする信号を提供する、オートゼロ増幅器を含んでもよい。
【００２５】
前記オートゼロループ回路は、スタンバイモード中前記オートゼロ増幅器の入力に結合された基準電圧をさらに含み、該オートゼロ増幅器はスタンバイモード中基準電圧を使用してオフセット電圧を計測してもよい。
【００２６】
前記オートゼロループ回路は、第１のスイッチおよび第１のコンデンサをさらに含み、該第１のスイッチおよび第１のコンデンサは、前記オートゼロ増幅器の入力につながれ、該第１のスイッチはイネーブルモード中キャンセレーションループを開くために開かれ、イネーブルモード中該オートゼロ増幅器の入力の電圧を該第１のコンデンサに記憶してもよい。
【００２７】
前記オートゼロループ回路は、スタンバイモード中前記オートゼロ増幅器の第２の入力に結合された基準電圧をさらに含み、該オートゼロ増幅器はスタンバイモード中該基準電圧を使用してオフセット電圧を計測してもよい。
【００２８】
前記オートゼロループ回路は、第２のスイッチおよび第２のコンデンサをさらに含み、該第２のスイッチおよび第２のコンデンサは、該オートゼロ増幅器の第２の入力に結合され、該第２のスイッチがイネーブルモード中開かれることにより、イネーブルモード中該オートゼロ増幅器の第２の入力の基準電圧が第２のコンデンサに記憶してもよい。
【００２９】
前記フィードバック回路は、電圧フィードバック信号を提供してもよい。
【００３０】
前記フィードバック回路は、低周波数電圧フィードバック信号を提供するためのＲＦピーク検出器回路、を含んでもよい。
【００３１】
前記フィードバック回路は、前記電力制御増幅器の入力に提供される前記低周波数電圧フィードバック信号をレベルシフトするＲＦ検出増幅器をさらに含んでもよい。
【００３２】
前記フィードバック回路は、ＲＦ電力増幅器に供給される電流に対応した電圧を提供してもよい。
【００３３】
前記フィードバック回路は、前記ＲＦ電力増幅器に供給される電流を検出する電流検出増幅器を含み、該電流検出増幅器は、電力出力信号を示すフィードバック信号を電力制御増幅器の入力に提供してもよい。
【００３４】
前記電力制御増幅器は、第２のＲＦ電力増幅器に結合され、前記制御器は第２のＲＦ電力増幅器の第２の電力出力信号を調節するため適合されてもよい。
【００３５】
前記電力制御増幅器の第２の入力と電力制御入力信号との間に結合される基準電圧源をさらに含んでもよい。
【００３６】
前記ＲＦ電力増幅器に結合される出力ノードと、該出力ノードと前記電力制御増幅器との間に結合されるスイッチとをさらに含み、該スイッチは、スタンバイモード中開かれ、イネーブルモード中閉じられ、それにより、イネーブルモード中該電力制御増幅器が該ＲＦ電力増幅器に制御信号を供給してもよい。
【００３７】
前記オートゼロループ回路は、スタンバイモード中前記ＲＦ電力増幅器を排除するためおよびイネーブル中該ＲＦ電力増幅器を含むため、キャンセレーションループを閉じる動作してもよい。
【００３８】
本発明のＲＦ電力制御器は、ＲＦ電力増幅器に制御信号を提供する手段であって、該提供する手段は、該ＲＦ電力増幅器に結合され、イネーブルモード中だけＲＦ電力増幅器に制御信号を提供し、該ＲＦ電力増幅器は、制御信号に応答して電力出力信号を提供する、提供する手段と、電力出力信号を示すフィードバック信号を発生する手段であって、該発生する手段は、該ＲＦ電力増幅器に結合され、かつ、該提供する手段の入力に結合され、該制御信号は該フィードバック信号と電力制御入力信号との間の差に基づいてセットされる、発生する手段と、スタンバイモード中オフセット電圧を計測および記憶するキャンセレーションループを閉じ、かつ、イネーブルモード中計測したオフセット電圧をキャンセルする信号を提供する手段であって、該キャンセレーションループを閉じる手段は、該提供する手段、発生する手段、およびＲＦ電力増幅器に結合される、手段とを含む。
【００３９】
前記閉じる手段は、スタンバイモード中前記提供する手段の入力および出力に結合され、イネーブルモード中提供するための手段の入力に結合されたオートゼロ増幅器を含み、該オートゼロ増幅器は、スタンバイモード中オフセット電圧を計測し、イネーブルモード中オフセット電圧をキャンセルする信号を提供してもよい。
【００４０】
前記閉じる手段は、スタンバイモード中前記オートゼロ増幅器の入力に結合された基準電圧をさらに含み、該オートゼロ増幅器はスタンバイモード中基準電圧を使用しオフセット電圧を計測してもよい。
【００４１】
前記閉じる手段は、第１のスイッチおよび第１のコンデンサをさらに含み、該第１のスイッチおよび第１のコンデンサは、前記オートゼロ増幅器の入力に結合され、該第１のスイッチはイネーブルモード中キャンセレーションループを開くために開き、該オートゼロ増幅器の入力の電圧は、イネーブルモード中第１のコンデンサに記憶されてもよい。
【００４２】
前記閉じる手段は、スタンバイモード中前記オートゼロ増幅器の第２の入力に結合された基準電圧をさらに含み、該オートゼロ増幅器はスタンバイモード中基準電圧を使用してオフセット電圧を計測してもよい。
【００４３】
前記閉じる手段は、第２のスイッチおよび第２のコンデンサをさらに含み、該第２のスイッチおよび第２のコンデンサは前記オートゼロ増幅器の入力に結合され、第２のスイッチはイネーブルモード中に開き、それにより、該オートゼロ増幅器の第２の入力の基準電圧が第２のコンデンサに記憶されてもよい。
【００４４】
前記フィードバック信号は、電圧フィードバック信号であってもよい。
【００４５】
前記発生する手段は、低周波数電圧フィードバック信号を提供するためのＲＦピーク検出回路、を含んでもよい。
【００４６】
前記発生する手段は、電力制御増幅器の入力に提供される低周波数電圧フィードバック信号をレベルシフトするＲＦ検出増幅器、をさらに含んでもよい。
【００４７】
前記発生する手段は、前記ＲＦ電力増幅器に供給される電流に対応した電圧を提供してもよい。
【００４８】
前記発生する手段は、ＲＦ電力増幅器に供給される電流を検知するため電流検知増幅器を含み、該電流検知増幅器は電力出力信号表示を示すフィードバック信号を提供する手段の入力に提供してもよい。
【００４９】
前記提供する手段は、第２のＲＦ電力増幅器に結合され、該制御器は、第２のＲＦ電力増幅器の第２の電力出力信号を調節するため適応されてもよい。
【００５０】
前記提供する手段の第２の入力および電力制御入力信号との間に結合される基準電圧源をさらに含んでもよい。
【００５１】
前記ＲＦ電力増幅器に結合される出力ノードと、該出力ノードと前記提供する手段の間に結合されたスイッチとをさらに含み、該スイッチは、スタンバイモード中開き、かつ、イネーブルモード中閉ることにより、該提供する手段がイネーブルモード中ＲＦ電力増幅器に制御信号を供給してもよい。
【００５２】
前記閉じる手段は、スタンバイモード中前記ＲＦ電力増幅器を排除するため、かつ、イネーブルモード中ＲＦ電力増幅器を含むため、キャンセレーションループを閉じるように動作してもよい。
【００５３】
本発明のＲＦ電力制御器を使用して、ＲＦ電力増幅器の電力出力信号を調節する方法は、イネーブルモード中だけ該ＲＦ電力増幅器に制御信号を提供し、該電力制御増幅器を使用して、該ＲＦ電力増幅器の電力出力信号を調節する工程であって、該ＲＦ電力増幅器は該制御信号に応答して該電力出力信号を提供する、工程と、該電力出力信号を示すフィードバック信号を発生し、該フィードバック信号は該電力制御増幅器の入力に提供され、該制御信号は電力制御増幅器は、フィードバック信号と電力制御入力信号との間の差に基づいて該電力制御増幅器によりセットされる、工程と、スタンバイモード中オフセット電圧を計測し、且つ、記憶するため電力制御増幅器に結合されたキャンセレーションループを閉じる工程と、イネーブルモード中計測されたオフセット電圧をキャンセルするキャンセレーションループを使用して信号を提供する工程とを含む。
【００５４】
前記キャンセレーションループは、スタンバイモード中前記電力制御増幅器の入力および出力に結合され、イネーブルモード中該電力制御増幅器の入力に結合されるオートゼロ増幅器を含み、前記キャンセレーションループを閉じる工程は、スタンバイモード中該オートゼロ増幅器を使用してオフセット電圧を計測する工程をさらに含んでもよい。
【００５５】
前記提供する工程は、イネーブルモード中前記オートゼロ増幅器から前記電力制御増幅器の入力にオフセット電圧をキャンセルする信号を提供する工程をさらに含んでもよい。
【００５６】
前記キャンセレーションループを閉じる工程は、スタンバイモード中前記オートゼロ増幅器の入力に結合された基準電圧を使用してオフセット電圧を計測する工程をさらに含んでもよい。
【００５７】
前記キャンセレーションループを閉じる工程は、第１のスイッチおよび第１のコンデンサを使用して電圧オフセットを記憶する工程をさらに含み、該第１のスイッチおよび第１のコンデンサは前記オートゼロ増幅器の入力につながれ、該第１のスイッチはイネーブルモード中キャンセレーションループを開くために開き、イネーブルモード中第１のコンデンサに該オートゼロ増幅器の入力電圧が記憶されてもよい。
【００５８】
前記キャンセレーションループを閉じる工程は、スタンバイモード中前記オートゼロ増幅器の第２の入力に結合された基準電圧を使用してオフセット電圧を計測する工程をさらに含んでもよい。
【００５９】
前記キャンセレーションループを閉じる工程は、第２のスイッチおよび第２のコンデンサを使用することによりオフセット電圧を記憶する工程を含み、該第２のスイッチおよび第２のコンデンサは、前記オートゼロ増幅器の第２の入力につながれ、第２のスイッチはイネーブルモード中に開けられ、それにより、該オートゼロ増幅器の第２の入力に結合された基準電圧が第２のコンデンサに記憶されてもよい。
【００６０】
前記フィードバック信号を発生する工程は、電圧フィードバック信号を発生する工程をさらに含んでもよい。
【００６１】
前記フィードバック信号を発生する工程は、前記ＲＦピーク検出回路を使用して、低周波数電圧フィードバック信号を発生する工程をさらに含んでもよい。
【００６２】
前記フィードバック信号を発生する工程は、ＲＦ検出増幅器を使用して、電力制御増幅器の入力に提供される低周波数フィードバック電圧をレベルシフトする工程をさらに含んでもよい。
【００６３】
前記フィードバック信号を発生する工程は、前記ＲＦ電力増幅器に供給する電流に対応する電圧を発生する工程をさらに含んでもよい。
【００６４】
前記ＲＦ電力増幅器に供給される電流に対応して電圧を発生する工程は、電流検出増幅器を使用して、ＲＦ電力増幅器に供給される電流に対応する電圧を、電力制御増幅器の入力に供給することで実施されてもよい。
【００６５】
前記制御信号が供給される工程は、第２のＲＦ電力増幅器に、第２の制御信号を提供し、第２のＲＦ電力増幅器の第２の電力出力信号を調節する工程をさらに含んでもよい。
【００６６】
前記キャンセレーションループを閉じる工程は、電力制御増幅器の第２の入力と電力制御入力信号との間に結合された基準電圧源を使用して、オフセット電圧を計測する工程をさらに含んでもよい。
【００６７】
前記制御信号を提供する工程は、前記ＲＦ電力増幅器に結合された出力ノードから該ＲＦ電力増幅器に制御信号を提供すること、かつ、該出力ノードと電力制御増幅器との間に結合されたスイッチから該ＲＦ電力増幅器に制御信号を提供することをさらに含み、該スイッチは、スタンバイモード中開かれ、かつ、イネーブルモード中閉じられ、それにより、イネーブルモード中該電力制御増幅器が該ＲＦ電力増幅器に制御信号を供給してもよい。
【００６８】
前記キャンセレーションループを閉じる工程は、スタンバイモード中ＲＦ電力増幅器を排除するためキャンセレーションループを閉じる工程、をさらに含んでもよい
【００６９】
【発明の実施の形態】
本発明の上記目的および特徴は、図面とともに考慮された下記詳細な説明から明確に理解され、全ての本明細書内の同じ参照番号は同じ構成要素を示す。
【００７０】
本発明のＲＦ電力制御器は、出力制御信号をＲＦ電力増幅器に送信する。出力制御信号は、各イネーブルモード間でＲＦ電力増幅器によって出力される電力レベル正確な指標である。ＲＦ電力制御器の出力制御信号は、電力制御入力信号およびＲＦ電力増幅器の伝達関数に依存する。ＲＦ電力増幅器の出力の一部はＲＦ電力制御器にフィードバック信号として提供される。ＲＦ電力増幅器からのフィードバック信号は、電力制御入力信号と電力制御増幅器によって比較され、電力制御増幅器は、その出力電圧を変化し、ＲＦ電力増幅器の電力出力を制御する。
【００７１】
フィードバック信号は、ＲＦ電力増幅器からアンテナのような負荷に送信された電力量を示す。電力所要量は、基地局からの距離の変動により変化し得る。フィードバック信号は、電圧フィードバック信号または電流フィードバック信号であり得る。電力制御入力信号は、ＲＦ電力増幅器が各イネーブルモード中の負荷に提供すべき電力量を示す。ＲＦ電力増幅器による電力の出力が、電力制御入力信号に示された電力出力より小さければ、フィードバック信号によって、ＲＦ電力制御器はより高い電圧を出力する。逆にＲＦ電力増幅器の電力出力が電力制御入力信号に示された電力出力よりも大きければ、フィードバック信号によって、ＲＦ電力制御器はより低い電圧を出力する。従って、ＲＦ電力増幅器の出力電力レベルを電力制御入力信号に示されたレベルに制御するために、ＲＦ電力制御器はフィードバック信号に基づく出力電圧を調整する。
【００７２】
本発明のＲＦ電力制御器は、出力制御信号内の不正確およびスプリアス工程の結果起こり得るオフセット電圧を除去する。図１の回路を参照する場合、ＲＦ電力制御器５０は、ＲＦ電力増幅器２４の電力制御入力に出力ノード５２で出力制御信号ＶOUTを提供する。ＲＦ電力制御器５０は、ノード５４で電力制御入力信号ＰINを受信する。ＰINはＤＡＣ（図示されず）のような回路から受信され、ＲＦ電力増幅器が電力を提供を開始する時間、および供給される電力レベルを示す。スイッチ５６のＴＸ信号は、ＲＦ電力制御器のデューティサイクルをセットする。デューティサイクルは、スイッチ５６を閉じている間のイネーブルモードおよびスイッチ５６を開いている間のスタンバイモードを構成する。スイッチ５６が閉じている場合、ノード６２は出力ノード５２に結合され、その結果、ＲＦ電力制御器５０はＲＦ電力増幅器２４に制御信号を提供する。スイッチ５６が開いている場合、ＲＦ電力制御器５０は、ＲＦ電力増幅器に信号送信することを妨ぐ。
【００７３】
ここで、また図２を参照すると、信号電圧ＰINは曲線９２として示される。ＰINはＲＦ電力増幅器の所望の電力出力レベルを示す信号である。ＰINは典型的には外部ソース（図示されず）から電力制御器５０に提供される。ＲＦ電力増幅器２４の典型的用途は、しばしばデジタル信号として電力所要量を提供する。デジタル信号は、ＲＦ電力制御器５０への入力される前にアナログ信号に変換される。この変換は典型的に、例えばＤＡＣによって実行される。アナログ信号は、ＰIN（すなわち図２の曲線９２）として電力制御入力ノード５４に付与される。
【００７４】
図２の曲線９４として示されるＴＸは、ＲＦ電力増幅器２４のデューティサイクルを示す。図２の曲線９６として示されるＴＸＢは、ＴＸから反転される。図２に示されるようにｔ１時間で、ＴＸは論理ロー（例えば０ボルト）から論理ハイ（例えば５ボルト）に立ち上がり、イネーブルモードの開始を示す。イネーブルモードの間、ＲＦ電力増幅器２４が出力電力を負荷に提供する。イネーブルモードはＴＸがハイ（例えば、図２に示されるように時間ｔ１からｔ６およびｔ７からｔ９）の時間である。時間ｔ２でＰIN（曲線９２）は、ＲＦ電力制御器５０がＲＦ電力増幅器２４に信号を提供するため、漸次上昇し始める。ＲＦ電力制御器５０からの信号に応答して、ＲＦ電力増幅器２４は、電力をアンテナ２０に提供する。時間ｔ３で、ＰINは漸次上昇を停止し、固定値で水平になる。この値は、電流イネーブルモード間の所要出力電力を示している。時間ｔ４で信号９２は時間ｔ５まで漸次下降を開始し、ゼロボルトに到達する。時間ｔ６で、スタンバイモードの開始を示した場合、ＴＸはローに戻る。アンテナ２０は、スタンバイモードの間に電力を要しない。スタンバイモードは、時間ｔ６からｔ７まで継続する。
【００７５】
再度図１を参照すると、ＴＸは、時間ｔ１でローからハイに変化し、スイッチ５６を閉じさせる。ここでノード６２は、ＲＦ電力制御器５０の出力ノード５２に接続される。ＴＸがハイである場合、ＴＸＢは、ローであるｎ−チャネルＭＯＳＦＥＴ４０をオフにし、およびグランドから出力ノード５２を切断する。ＴＸＢがローである場合、スイッチ５８および６０は開き、オートゼロ増幅器２６の反転および非反転入力は、それぞれノード６２および電圧源ＶREF1８８から切断される。
【００７６】
時間ｔ２でのＰINの漸次上昇によって、抵抗３５および３７によって形成された抵抗ディバイダを渡ってノード５４から電流が流れる。その結果、ノード４４での電圧は抵抗ディバイダの割合によってセットされる。電力制御増幅器３２の反転入力に出現する電圧は、ノード４４での電圧および電圧源ＶREF2８４の電圧の和である。
【００７７】
電力制御増幅器３２によって、ＰINの増加に応答して時間ｔ２後に、ノード６２での電圧が漸次上昇する。ｐ−チャネルＭＯＳＦＥＴ８０は、ノード６２での電流送信を制御する。電力制御増幅器３２の反転入力時の電圧増加によってノード９０での電圧が降下し、次にｐ−チャネルＭＯＳＦＥＴ８０が、ＶINからノード６２にさらなる電流を提供する。ＭＯＳＦＥＴ８０を通過する電流が電流源８６を通過する電流を超える場合、ノード６２の電圧は増加する。コンデンサ３９は、ミラーキャパシタンスを使用して、ループを安定化するために電力制御ループに周波数補正を導入する。時間ｔ２およびｔ３間のＰINの（曲線９２）有限スロープは、ＲＦ電力制御器５０の遅い起動を提供し、制御器内部の過渡応答を減少させる。所望な場合、供給電圧ＶINが十分高く（例えば３．６Ｖより高く）セットされたなら、ｐ−チャネルＭＯＳＦＥＴ８０は、ｎ−チャネルＭＯＳＦＥＴであり得る。制御信号ＶOUTが、時間ｔ３でＰINが水平になるまで増加を維持する。
【００７８】
時間ｔ３で、ＰINは固定電圧レベルで水平化される。ＲＦ電力制御器５０の出力電圧は、ＰINでの電圧およびＲＦ電力増幅器２４の増幅特性曲線に依存する。ノード６４でのＲＦ電力増幅器２４の出力は、方向性結合器２２を経由してアンテナ２０に送信される。方向性結合器２２は例えば、トランスフォーマ回路であり得る。ノード６４でのＲＦ電力増幅器２４の出力信号は、その入力（例えば、１．８ＧＨｚ）においてＲＦ信号と同じ無線周波数で発振する。方向性結合器２２は、ノード６４で、信号の一部をノード６６までフィードバックする。ノード６６における信号はノード６４における信号に比例し、ノード６４における信号と同じ周波数で発振する。コンデンサ２３は、グランドを基準にしたノード６６での信号をノード７２でのＶINを基準にした信号にレベルシフトする。この実施例において、ノード７２における信号は、電圧フィードバック信号である。当業者は、電流フィードバック信号が本発明の原理から逸脱することなく代替方法で生成され得ることを理解し得る。ノード７２は、ＲＦ電力制御器５０のＲＦピーク検出器７０の入力部に位置付けられる。
【００７９】
ＲＦピーク検出器７０は、入力電圧源ＶIN、抵抗２５、抵抗２９、抵抗３１、ショットキーダイオード３６および３８、コンデンサ２７、ならびに電流源４８および４９を備える。ＶINは供給電圧である。図１に示されるように、電流はショットキーダイオード３６および３８、ならびに接地した電流ソース４８および４９を通過してＶINから流れる。理想的回路では、ショットキーダイオード３６および３８の電圧降下は等しい。
【００８０】
ノード７２におけるフィードバック電圧は、ＲＦピーク検出器７０によって低周波数信号に変換される。ノード７２における信号は、ショットキーダイオード３６によって整流され、ＲＦ検出器３０の反転入力部での低周波数を形成するためにコンデンサ２７によって平滑化される。ＲＦ検出器３０の反転入力部およびノード７８での電圧は、ノード７２での信号が増加するに伴って増加する。ノード７８での電圧が増加し始める場合、ＲＦ検出器３０の出力電圧は降下し、ｐ−チャネルＭＯＳＦＥＴ３４に抵抗３３を通過するより多くの電流を送電する。この電流は、抵抗３１を介して提供され、ノード７８で電圧を制御し、仮想接地を生成する。ＲＦ検出器３０は、電力制御増幅器３２の非反転入力に提供し得るために電圧フィードバック信号をＶINからグランドまでレベルシフトする。電力制御増幅器３２の非反転入力における電圧は、抵抗３３を通過する電圧降下が増加するに伴って増加する。電力制御増幅器３２によって、非反転入力部の電圧は平衡に近づくに伴い、ＶOUTが増加を停止する。
【００８１】
ノード７２での電圧フィードバック信号により、イネーブルモード間に、ＲＦ電力制御器５０がＲＦ電力増幅器２４の電力出力信号を制御し得る。ノード６４での電力出力信号が高すぎれば、ノード７２でのフィードバック信号が増加し、電力制御増幅器３２がＶOUTを減少させる。ＶOUTにおける減少によって、ＲＦ電力増幅器２４が出力する電力はより少なくなる。ノード６４での電力出力信号が低すぎれば、ノード７２でのフィードバック信号は減少し、電力制御増幅器３２がＶOUTを増加させる。ＶOUTの増加によって、ＲＦ電力増幅器２４が出力する電力はより多くなる。
【００８２】
図２に示されているように時間ｔ５で、ＰINがゼロまで低下する。結果としてＶOUTおよびノード６４での電力出力信号は、ゼロまで低下する。方向性結合器２２はこれ以上ＲＦピーク検出器７０にフィードバック信号を提供しない。応答時に、ＲＦ検出器３０は、ノード８２で電圧をＶREF2まで減少させる。理想的回路では、電力制御増幅器３２の入力部の電圧は、時間ｔ５の後で等しくＶREF2で、ノード６２電圧は、約ゼロボルト（例えば、２００μＶ）である。しかし、特定のＲＦ電力制御器での、電力制御増幅器３２の入力部の差動電圧は、電力制御増幅器３２のオフセット電圧（例えば、１０ｍＶ）のため、ゼロから有意量変動し得る。加えて、ノード８２での電圧は、ＰINのオフセット電圧およびＲＦピーク検出器７０のオフセットのために、ＶREF2よりも高くても良く、または低くても良い。
【００８３】
ＶREF2８４は、電力制御増幅器３２の反転入力部の低電圧を導入する（例えば、５０ｍＶ）。ノード５４のいかなるオフセット電圧によっても、電力制御増幅器３２の反転入力部の電圧がＰINがゼロであるべきスタンバイモードの間、ＶREF2から変化する。ショットキーダイオード３６および３８を渡る電圧降下が異なり、またはＲＦ検出器３０の入力部でオフセットが存在するならば、オフセットはＲＦ検出器３０の入力部に存在する。スタンバイモードでオフセットによって、ＭＯＳＦＥＴ３４を通過して過大または過小電流が流れ、ノード８２での電圧があるオフセット電圧によってＶREF2より上、またはより下になる。加えて、電力制御増幅器３２内のオフセット電圧が存在し得る。これらいかなるオフセット電圧は正または負であり得る。
【００８４】
スタンバイモード間にスイッチ５６を開いた場合、ノード８２での負のオフセット電圧は、ノード６２での電圧がＶINまで漸次上昇する。この負のオフセット電圧に伴い、ノード６２での電圧は、イネーブルモードが開始すればＶINで存在し、不正確な制御信号ＶOUTとなる。イネーブルモード間にスイッチ５６を閉じる場合、負のオフセット電圧は、ＲＦ電力制御器５０が不正確な制御電圧の出力を続ける。ノード５２での不正確制御電圧によって、ＲＦ電力増幅器２４が不正確な電力出力を出力する。正のオフセット電圧によって、電力制御増幅器３２内のトランジスタがスタンバイモード間に切断され、電力制御増幅器３２の起動の遅延を導入する。イネーブルモードで電力制御増幅器３２が起動する場合、その遅れはＶOUT内の望ましくない工程を発生させ得る。
【００８５】
ＶOUTはオフセット電圧のため、全イネーブルモードにわたって不正確になり得る。ＲＦ電力制御器５０に伴うオフセット電圧によって、電力制御増幅器３２のゲインが有意（例えば、５−１０％）で変動する。オフセット電圧は、電力制御増幅器３２がスタンバイモード間に、図１に示される電力制御増幅器３２の周囲のオートゼロループ回路（オートゼロ増幅器２６を包含する）との結合することによって除去され得る。スタンバイモードでオートゼロループ回路は、電力制御増幅器３２の周囲の閉じたループを形成する。
【００８６】
図１のＲＦ電力制御器５０において、ＲＦ電力制御器５０に伴うオフセット電圧は、スタンバイモード間に、オートゼロ増幅器２６によってキャンセルされる。時間ｔ６（図２参照）において、スイッチ５６が開き、出力ノード５２からノード６２の切断のためにＴＸはローになる。時間ｔ６においてもｎ−チャネルＭＯＳＦＥＴ４０がオンし、ＶOUTが接地するためＴＸＢはハイになる。ＴＸＢによってもスイッチ５８および６０が閉じ、ＴＸＢは、オートゼロ増幅器２６の反転入力をノード６２に結合し、オートゼロ増幅器２６の非反転入力を電圧源ＶREF1８８に結合する。ＶREF1８８は、基準電圧源である。
【００８７】
スタンバイモード間にオートゼロ増幅器２６によって、ノード６２での電圧はＶREF1であり、ＲＦ電力制御器５０に伴うオフセット電圧の逆効果を除去する。ＶREF1は、好ましくは低値正電圧（例えば、１００ｍＶ）であり、そのため電力制御増幅器３２内のトランジスタは、スタンバイモード時はオンである時間ｔ８でＶOUT内の望ましくない工程除去する。オートゼロ増幅器２６は、ノード６２での電圧がＶREF1での電圧よりも高く検出される場合、オートゼロ増幅器２６の出力は減少する。ｐ−チャネルＭＯＳＦＥＴ２８のゲート部の電圧減少は、ＭＯＳＦＥＴ２８を通過するＶINからノード７８に流れる電流が増加する。ノード７８での電圧増加はＲＦ検出増幅器３０の反転入力部で検出される。ＲＦ検出増幅器３０によって、ＭＯＳＦＥＴ３４が、ノード７８での電圧増加に応答し、抵抗３３を通過してより多くの電流を出力する。ノード８２での電圧は、抵抗３３間の電圧降下の増加とともに増加する。電力制御増幅器３２によって、ＭＯＳＦＥＴ８０が、ノード８２での電圧増加に応答してノード６２により少ない電流を出力する。そのため、ノード６２での電圧を減少させる。オートゼロループ回路によって形成される閉じたループによって、ノード６２電圧が、ＶREF1での電圧と等しくなるまで減少する。この位置で、電力制御増幅器３２の入力部での電圧は、電力制御増幅器オフセットに反映される。
【００８８】
オートゼロ増幅器２６は、電力制御増幅器３２の出力がＶREF1より下ならば、オートゼロ増幅器２６によって、電力制御増幅器３２の非反転出力部の電圧は、ｐ−チャネルＭＯＳＦＥＴ２８を通過するより少ない電流送信で減少する。ＭＯＳＦＥＴ２８を通過する電流減少によってノード７８での電圧は減少する。ＲＦ検出増幅器３０によって、ＭＯＳＦＥＴ３４が抵抗３３を通過するより少ない電流をノード７８での電圧減少に応答して出力する。その結果、ノード８２での電圧減少によって電力制御増幅器３２は、ｐ−チャネルＭＯＳＦＥＴ８０を通過する電流を増加させる。この方法で、オートゼロ増幅器２６によって、ノード６２での電圧がＶREF1と等しくなるまで増加する。オートゼロ増幅器２６は、ＶREF1で、スタンバイモードの残部全てに、オフセット電圧の効果を除去してノード６２での電圧を維持する。これは、時間ｔ８でＲＦ電力増幅器２４が電力を要求を開始する場合、ノード６２での電圧がほぼゼロとなり、正確な出力信号ＶOUTに至る。スタンバイモードの持続時間は、オートゼロ増幅器２６がノード６２での電圧をＶREF1と整合させるのに要する時間と少なくとも同じにすべきである。
【００８９】
オートゼロ増幅器２６は、正および負両方のオフセット電圧をキャンセルする。電力制御増幅器３２の入力電圧が異なる場合、オフセット電圧が存在する。スタンバイモードにおいて、電力制御増幅器３２の非反転入力部の電圧を設定することによってオートゼロ増幅器２６は、オフセット電圧をキャンセルする。その結果ノード６２での電圧は、ＶREF1に接近する。
【００９０】
次のイネーブルモード開始時の時間ｔ７（図２）で、スイッチ５８および６０は開かれ、スイッチ５６は閉じられ、およびＭＯＳＦＥＴ４０はオフにされる。ＰINは時間ｔ８で漸次上昇を開始する。時間ｔ８で、ＲＦ電力制御器５０は、制御電圧をＲＦ電力増幅器２４に速やかに出力し得る。その理由は、オートゼロ増幅器２６は、電力制御増幅器３２の起動を遅延させるいかなる負のオフセット電圧をキャンセルするためである。加えて、電力制御増幅器３２はわずかにバイアスオンとなる。従って、時間ｔ８でＰINが漸次上昇する場合、ＶOUT内では工程がない。全ての正のオフセット電圧は、電力制御ループから同様にキャンセルされるため、時間ｔ８でＶOUTは、ＶREF1から漸次上昇する。ＲＦ電力制御器５０は、ＲＦ電力増幅器２４の電力出力信号を正確に制御し得る。
【００９１】
時間ｔ７およびｔ９の間、電力制御増幅器３２が制御信号をＲＦ電力増幅器２４に出力すると、スイッチ５８は開けられ、その結果、オートゼロ増幅器２６がＶREF1でノード６２を保持できない。オートゼロ増幅器２６の入力部の差動電圧は、スイッチ５８および６０が時間ｔ７後に開かれた場合に、コンデンサ４１および４７に保持される。スイッチ５８および６０のオープンは、コンデンサ４１および４７の電圧がおよそ同割合で減衰し、オートゼロ増幅器２６の入力部間の差動電圧は、全イネーブルモードで実質的に保存される。同じ電気容量値のコンデンサ４１および４７の選択は、オートゼロ増幅器２６入力部の電圧が、同割合で減衰をさらに保証することに役立つ。所望するなら、イネーブルモードおよびスタンバイモードでＶREF1は、オートゼロ増幅器２６の非反転入力と結合するので、コンデンサ４７およびスイッチ６０は除去され得る。コンデンサ４１の電気容量は、ＶREF1とコンデンサ４１の電圧との差動電圧がコンデンサ４７を使用せずに全イネーブルモードで保存され得る程度の大きさにされ得る場合、この技術は所望され得る。
【００９２】
コンデンサ４１および４７によって、オートゼロ増幅器２６が、以前のスタンバイモード時に検出され、ＲＦ電力制御器５０に伴うオフセット電圧をキャンセルされることをを維持する。オフセット電圧は次のイネーブルモードの間、オートゼロ増幅器２６の反転入力がノード６２から切断されるとキャンセルされることを維持する。コンデンサ４１および４７に保持される差動電圧によってオートゼロ増幅器２６が、オフセット電圧を除去するための以前のスタンバイモード間に決定されるＭＯＳＦＥＴ２８を通過する電流をセットする。オートゼロ増幅器２６は、イネーブルモード間にオフセット電圧の影響を除去するために維持するこの差動電圧を使用する。イネーブルモード間にＲＦ電力制御ループに取り込むいかなる追加オフセット電圧は、次のスタンバイモードの間、オートゼロ増幅器によってキャンセルされる。
【００９３】
図１に示されるように、電力制御増幅器３２周辺のオートゼロループに周波数補償を導入し、ループを安定化する目的で、抵抗器４３および４５は、それぞれコンデンサ４１とオートゼロ増幅器２６の入力、コンデンサ４７とオートゼロ増幅器２６の入力との間に提供されている。抵抗器４３および４５は、コンデンサ４１、４７により導入されているループの位相シフトを除去している。抵抗器４３および４５がなければ、オートゼロループは、発振し得る。
【００９４】
所望の場合、ＲＦ電力制御器５０の供給電圧を、正および負の値の間において広げることもでき得る（例えば、＋３Ｖから−３Ｖまで）。図１において、ＶINは正の供給電圧にセットされ得るし、そして接地端子は負の供給電圧にセットされ得る。電圧源ＶREF1およびＶREF2ならびにコンデンサ２３は、そのような供給範囲で使用する場合、制御器内で除去され得る。グランドは、オートゼロ増幅器２６がオフセット電圧をキャンセルするのに、基準電圧として使用しているため、オートゼロ増幅器２６の非反転入力は、スタンバイモード間に接地し得る。スタンバイモード中、ＰINにいかなるオフセット電圧を加えようと、電力制御増幅器３２の反転入力はゼロである。ＶOUTにおいて、オートゼロ増幅器２６によりイネーブルモードが始まるステップを引き起こすことなしに、ノード６２の電圧はすぐにゼロボルトに制御され得る。
【００９５】
図３を参照すると、ＲＦ電力制御器１４０はノード１２８の出力電圧信号ＶOUTをＲＦ電力増幅器１０２に提供する。ＶOUTはイネーブルモード中にノード１３２に加えられたＰIN、およびＲＦ電力増幅器１０２の伝達関数に依存している。ＲＦ電力増幅器１０２は、ノード１０１を経由してアンテナ１００に電力を提供している。ＲＦ電力増幅器１０２の電力出力信号は、ＶOUTによりセットされる。ＲＦ電力制御器１４０は、ＲＦ電力増幅器１０２の電力出力信号を調整するため、電流検出抵抗器１０９からの電流フィードバック信号を使用する。
【００９６】
電力制御増幅器１１０の反転入力は抵抗器１１３、および電圧源ＶREF2１３４を介してＰINに接続されている。電流は、ＰINから、抵抗器１１３および抵抗器１１１から形成される抵抗ディバイダを介してグランドへ流れる。ノード１１８の電圧はノード１３２に印加された電圧の一部分である。抵抗器１１３および抵抗器１１１の抵抗値の比は、その電圧の分配を決定する。電力制御増幅器１１０の反転入力に現れる電圧は、ノード１１８に電圧源ＶREF2の電圧を加えたものである。電圧源ＶREF2の電圧は、小さな正の値であり得る（例えば、５０ｍＶ）。
【００９７】
電力制御増幅器１１０は、ノード１３０のゲート電圧を制御することにより、ｐ−チャネルＭＯＳＦＥＴ１４６を流れる電流を制御する。電力制御増幅器１１０は、反転入力電圧の増加を検出すると（図２の時間ｔ２において）、ノード１３０の電圧が減少し、ＶINからｐ−チャネルＭＯＳＦＥＴ１４６を通してより多くの電流のながれを引き起こす。ＭＯＳＦＥＴ１４６を流れる電流が、電流源１４８を流れる電流を上回ると、ノード１１６での電圧は増加を始める。コンデンサ１１５は電力制御ループの周波数補償を導入し、ループを安定化する必要性のため、ミラーキャパシタンスとしてセットされている。
【００９８】
スイッチ１０６は、時間ｔ１では閉じられていて、そしてＲＦ電力増幅器１０２の電力出力信号を制御するため、時間ｔ２の開始時に出力信号は出力ノード１２８へ送られる。時間ｔ３では、ＰINの信号は増加することを停止する。ＲＦ電力増幅器１０２は、時間ｔ２のあたりでノード１３８の入力電圧源ＶINから供給電流を引き出し始める。ＶINは供給電圧である。電流は、抵抗器１０９を通して電圧降下を引き起こしながら、ＶINから検出検出抵抗器１０９を通してＲＦ電力増幅器１０２へ流れ始める。抵抗器１０９を通すことによる電圧降下は、ノード１３８とノード１４２の間で見られる。ＲＦ電力増幅器１０２によりＶINから引き出される供給電流は、ノード１０１におけるＲＦ電力増幅器１０２の電力出力信号に比例している。従って、ＲＦ電力増幅器１０２の電力出力信号が減少すると、ＶINから引き出されるＲＦ電力増幅器１０２の電流も減少する。もし、ＲＦ電力増幅器１０２の電力出力信号が増加すると、ＶINから引き出されるＲＦ電力増幅器１０２の電流も増加する。ＲＦ電力制御器１４０は、ＲＦ電力増幅器１０２がＶINから引き出している電流を計測するため、ノード１０１の電力出力信号を間接的に計測する。
【００９９】
電流検出増幅器１２６は、検出抵抗器１０９を通して流れる電流を計測し、抵抗器１０９を流れる電流を示す電圧信号を発生させる。電圧信号は、ノード１２０において電力制御増幅器１１０に供給される。電流検出増幅器１２６は、以下のように抵抗器１０９を通して流れる電流を検出する。
【０１００】
電流検出増幅器１２６は、ノード１４２の電圧とノード１４４の電圧の差を増幅する。抵抗器１０３の抵抗値は、ノード１３８のＶINから引き出される電流の多くが抵抗器１０９を通してＲＦ電力増幅器１０２へ流れるようにするため、抵抗器１０９の値より有意に大きくするべきである（例えば、抵抗器１０３と１０９の比が２０００：１であり得るように）。ノード１４２の電圧は、ＲＦ電力増幅器１０２がほとんど、ないしは全く電流を引き出していない場合、ＶINに近い。検出抵抗器１０９を流れる電流が増加するに従い、ノード１４２の電圧は低下する。ノード１４２の電圧は低下は電流検出増幅器１２６により増幅され、そしてｐ−チャネルＭＯＳＦＥＴ１２４のゲートに供給されることにより、ｐ−チャネルＭＯＳＦＥＴ１２４に、抵抗器１０３を通して抵抗器１０７へ、ＶINからより多くの電流を引き出すことを引き起こす。抵抗器１０７へ流れる電流が増加したことは、電力制御増幅器１１０（ノード１２０）の正の入力の電圧を立ち上げる。電力制御増幅器１１０は、、ＭＯＳＦＥＴ１４６にノード１２０の電圧の増加に応答してＶOUTを減少させることを引き起こす。従って、ＲＦ電力増幅器１０２が抵抗器１０９から電流を引き出す場合、ノード１２０が平衡電圧に近づくと、ＶOUTの増加が停止する。電流フィードバック信号により、ＲＦ電力制御器１４０がＲＦ電力増幅器１０２の電力出力信号を調節し得る。
【０１０１】
ＲＦ電力増幅器１０２の電力出力信号が過度に小さくなると、ＲＦ電力制御器１４０にも電流フィードバック信号を示す。電流検出増幅器１２６は、抵抗器１０９を流れる電流の減少を検出する。これに応答して電流検出増幅器１２６が，ＭＯＳＦＥＴ１２４を流れる電流の減少を引き起し、ノード１２０の電圧の減少を引き起こす。電力制御増幅器１１０は、ノード１２０の電圧の減少を検出し、そしてＭＯＳＦＥＴ１４６にＶOUTの増加を引き起こす。ＶOUTの増加は、ＲＦ電力増幅器１０２に、電力出力信号を増加すべきことを示す。従って、抵抗器１０９からの電流フィードバック信号は、ＲＦ電力制御器１４０に、イネーブルモード中、ＲＦ電力増幅器１０２が電力出力信号を増加させる必要があるかどうか、あるいは減少させる必要があるかどうか、を示す。
【０１０２】
時間ｔ６において、イネーブルモード終了およびスタンバイモード開始が引き起こされることにより、ＴＸはローの状態になり、そしてＴＸＢはハイの状態になる。ＴＸがローになると、スイッチ１０６は開き、出力ノード１２８からノード１１６は切断する。ＴＸＢがハイになるとｎ−チャネルＭＯＳＦＥＴ１０４は、オンになり、出力ノード１２８がグランドと結合する。ＴＸのローとともに、スイッチ１１２および１１４は閉じられ、オートゼロ増幅器１０８の反転および非反転入力は、それぞれノード１１６、および電圧源ＶREF1１３６に接続される。オートゼロ増幅器１０８はすぐに、ノード１１６の電圧がＶREF1より高いか、あるいは低いか検出する。ＶREF1の値は、ゼロのわずかに上であり得る（例えば、１００ｍＶ）。オートゼロ増幅器１０８の入力の差動電圧は、オートゼロ増幅器１０８で増幅され、そしてｐ−チャネルＭＯＳＦＥＴ１２２のゲートに付与される。
【０１０３】
もしノード１１６の電圧がＶREF1より大きい場合、オートゼロ増幅器１０８の出力は減少し、ｐ−チャネルＭＯＳＦＥＴ１２２と抵抗器１０５を通してより多くの電流が流れ込むことを引き起こす。結果として、ノード１２０の電圧が増加し、電力制御増幅器１１０がノード１１６の電圧の減少を引き起こす。もしノード１１６の電圧がＶREF1より小さい場合、オートゼロ増幅器１０８出力は増加し、ｐ−チャネルＭＯＳＦＥＴ１２２および抵抗器１０５を通してより少ない電流を流すことを引き起こす。結果としてノード１２０の電圧は減少することにより、電力制御増幅器１１０がノード１１６の電圧の増加を引き起こす。従ってオートゼロ増幅器１０８は、電力制御ループにおいて、いかなる正または負のオフセット電圧をもキャンセルするため、スタンバイモード中ノード１１６の電圧をＶREF1に調節する。
【０１０４】
次のイネーブルモード中時間ｔ７とｔ９との間、スイッチ１１２および１１４は開かれ、そしてノード１１６の電圧は１００ｍＶのままである。電力制御増幅器１１０は、イネーブルモードの始めにおいて、ＲＦパワー増幅器１０２に制御信号を送り始める準備が出来ている。なぜならすでにオートゼロ増幅器１０８は、電力制御増幅器１１０の始動時に遅れを引き起こし得るいかなる負のオフセット電圧もキャンセルし、そして電力制御増幅器１１０をわずかにオンであるようにプリバイアスしているためである。それゆえ、ＰINの立ち上がり開始後、ＶOUTにはいかなるステップも存在しない。全ての正および負のオフセット電圧は電力制御ループからすでにキャンセルされているので、ＶOUTは１００ｍＶから即座に立ち上がる。ここではＲＦ電力制御器１４０は、ＲＦ電力増幅器１０２の電力出力信号を正確に調節し得る。
【０１０５】
次のイネーブルモード中時間ｔ７とｔ９との間、オートゼロ増幅器１０８の入力の差動電圧は、スイッチ１１２および１１４が開かれている場合、コンデンサ１１７および１２３により保持される。差動電圧によりオートゼロ増幅器１０８は次のイネーブルモード中ＲＦ電力制御ループに存在するオフセット電圧がキャンセルし続け得る。さらにいかなるオフセット電圧が、ＲＦ電力制御ループに組み込まれても、次のスタンバイモード中スイッチ１１２および１１４が再び閉じられれば、オートゼロ増幅器１０８により相殺される。図３に示されるように、抵抗器１１９および抵抗器１２１は、オートゼロループに周波数補償を導入し、ループを安定化するため、それぞれコンデンサ１１７とオートゼロ増幅器１０８の入力、コンデンサ１２３とオートゼロ増幅器１０８の入力との間に付け加えられる。
【０１０６】
ここで図４を参照すると、本発明によるデュアルバンド出力をもつＲＦ電力制御器１５０が示されている。ＲＦ電力制御器１５０は、図１のオフセット電圧除去システムを有し得る。ＲＦ電力制御器１５０は、図１のＲＦ電力制御器５０のように、ノード１７０から電圧フィードバック信号を受け取る。電圧は、どちらの増幅器でも電力を出力している時は、方向性結合器１６４を経由して、ＲＦ電力増幅器１６０ないしは１６２のノード１７０からフィードバックされる。ＲＦ電力増幅器１６０および１６２は、アンテナ１６８に電力を送るために適合されている。ＲＦ電力増幅器１６０ないしは１６２のどちらか一方の出力は、アンテナ１６８にダイプレクサ１６６を通して接続されている。電力制御入力信号は、ノード１７２に供給されている。
【０１０７】
ＲＦ電力制御器１５０は、２つのＲＦ電力増幅器１６０ないしは１６２のうち１つに電力を供給するために、適合されている。ＲＦ電力制御器１５０の出力は、使用者により選択されたＳＥＬおよびＳＥＬＢ（ＳＥＬＢは、単にＳＥＬを反転したもの）信号によって、出力ノード１５６ないしは１５８に結合され得る。使用者が、ＲＦ電力制御器１５０をＲＦ電力増幅器１６２に結合するため、ＳＥＬをハイにセットする。イネーブルモード中ＳＥＬをハイ（およびＳＥＬＢをロー）とすると、スイッチ１５２は閉じられ、そしてスイッチ１５４は開かれる、そしてＲＦ電力制御器１５０は、ＲＦ電力増幅器１６２に制御信号を送る。
【０１０８】
マルチプレクサであり得るＭＵＸ制御１８０は、ＳＥＬがハイの場合、ＴＸに表示されたデューティサイクルに従ってｎ−チャネルＭＯＳＦＥＴ１７６をオンおよびオフする。ＭＵＸ制御１８０は、イネーブルモード中ＴＸがハイの場合にはＭＯＳＦＥＴ１７６をオフとし、そしてスタンバイモード中ＴＸがローの場合にはＭＯＳＦＥＴ１７６をオンとし、ノード１５６とグランドを結合する。イネーブルモードおよびスタンバイモード中、ＳＥＬがハイの場合、ＭＵＸ制御１８０はＭＯＳＦＥＴ１７４をオンの状態に保ちつづける。
【０１０９】
ＳＥＬをローにセットすると、ＲＦ電力制御器１５０をＲＦ電力増幅器１６０に結合する。ＳＥＬがローの場合、スイッチ１５４が閉じられそしてスイッチ１５２が開かれる。ここでＲＦ電力制御器１５０は、イネーブルモード中ＲＦ電力増幅器１６０に制御信号を送り得る。ＭＵＸ制御回路１８０は、ＳＥＬがローの場合、ＴＸに表示されたデューティサイクルに従ってｎ−チャネルＭＯＳＦＥＴ１７４をオンおよびオフする。イネーブルモードおよびスタンバイモード中ＳＥＬがローの場合、ＭＵＸ制御１８０はＭＯＳＦＥＴ１７６をオンの状態に保ちつづける。
【０１１０】
本発明は、スタンバイモード中、ＲＦ電源制御器の出力とオートゼロ増幅器とを結合させることにより、電源制御ループおよび外部オフセット電圧におけるオフセット電圧をキャンセルするＲＦ電源制御器を提供する。オートゼロ増幅器は、オフセット電圧の効果を排除するように、各スタンバイモード中ＲＦ電源制御器の出力電圧を制御する。オートゼロ増幅器の入力電圧は、キャンセルされるオフセット電圧を許容し、イネーブルモード中記憶される。記憶された電圧はオートゼロ増幅器で使用され、イネーブルモード中ＲＦ電源制御器出力電圧上のオフセット電圧効果を排除し続ける。オフセットドリフトは、温度、供給電力の変動などによるものであり、フリークエントオフセットサンプリングによりキャンセルされる。
【０１１１】
デュアルバンドＲＦ電力制御器１５０は、２つのＲＦ電力増幅器により供給電流から引き出されたフィードバック電流信号（図３のＲＦ電力制御器１４０のように）を受け取る制御器であり得る。当業者はさらに、それら上記に示し、および記載したものとは異なる回路構成使用し、本発明の回路を実行し得ることを認識する。それら全ての改変は、上掲の特許請求の範囲によってのみ限定される本発明の範囲内である。
【０１１２】
【発明の効果】
従って、本発明により、出力電力所要量、供給電圧、および動作温度範囲に正確に変動する、ＲＦ電力制御器に伴うオフセット電圧をキャンセルするＲＦ電力制御器が提供される。
【図面の簡単な説明】
【図１】本発明の原理に従った電圧フィードバック信号を利用したオートゼロオフセット電圧キャンセルを備えたＲＦ電力制御ループの概略図である。
【図２】電力制御入力信号、ＴＸ信号、およびＴＸＢ信号の波形図である。
【図３】本発明の原理に従った電流フィードバック信号を利用したオートゼロオフセット電圧キャンセルを備えたＲＦ電力制御ループの概略図である。
【図４】本発明の原理に従ったＲＦ電力増幅器の出力電力を制御するために適用したＲＦ電力制御器の概略図である。
【符号の説明】
５０  ＲＦ電力制御器
７０  ＲＦピーク検出器
【図１】
0005143320.tif 000002
【図２】
0005143320.tif 000003
【図３】
0005143320.tif 000004
【図４】
0005143320.tif 000005